(57)【要約】【課題】従来にはない趣向性に富み、かつ、容易にキャッチから抜け落ちないピアスポストと、キャッチを備えた装身具用ピアスを提供する。【解決手段】シリコン製キャッチ２００の挿通孔２０に挿入されるピアスポスト１を、ストレートとすることなく、ピアスポスト１の頭部を拡径頭部１１に、さらに、中央部に中間拡径部１２を設け、一方、キャッチ２００の外周に、金属バネ３を嵌着した構造とする。キャッチ２００の挿通孔２０には、外方に向かって、切れ目２１、油ダメ２２を設ける。これに加えて、さらにキャッチ２００ｓをさまざまな色に着色して趣向性の高いものする。【選択図】図1
2011115189.tif 000002
【特許請求の範囲】
【請求項１】
ピアスポストと、該ピアスポストを挿入するための挿通孔を有し、外周に金属バネを嵌着させた樹脂製キャッチとから成ることを特徴とする装身具用ピアス。
【請求項２】
キャッチに挿通される頭部に拡径頭部、扁平化頭部、または、拡径扁平化頭部を有するピアスポストと、該ピアスポストを挿入するための挿通孔を有する樹脂製キャッチとから成ることを特徴とする請求項１に記載の装身具用ピアス。
【請求項３】
キャッチに挿通される頭部に拡径頭部、扁平化頭部、または、拡径扁平化頭部を有し、さらに、ピアスポストの樹脂製キャッチへの挿入時に挿入穴内に位置する部分にも、拡径部、扁平化部、または、拡径扁平化部を有するピアスポストと、該ピアスポストを挿入するための挿通孔を有する樹脂製キャッチとから成ることを特徴とする請求項１〜２に記載の装身具用ピアス。
【請求項４】
キャッチに挿通される頭部に拡径頭部、扁平化頭部、または、拡径扁平化頭部を形成し、さらに、ピアスポストの樹脂製キャッチへの挿入時にピアスポストの挿入穴内に位置する部分に、縮径部を形成させたピアスポストと、該ピアスポストを挿入するための挿通孔を有する樹脂製キャッチとから成ることを特徴とする請求項１〜２に記載の装身具用ピアス。
【請求項５】
外周に金属バネを嵌着させた樹脂製キャッチにおいて、挿入穴より外に向かって複数の切れ目を有することを特徴とする請求項１〜４のいずれかにに記載の装身具用ピアス。
【請求項６】
外周に金属バネを嵌着させた樹脂製キャッチにおいて、挿入穴より外に向かって複数の切れ目を有し、その先端部に油溜めを有することを特徴とする請求項１〜５のいずれかに記載の装身具用ピアス。
【請求項７】
外周に金属バネを嵌着させた樹脂製キャッチにおいて、挿入穴の表面に凸部、または、窪みを設けたことを特徴とする請求項１〜６のいずれかに記載の装身具用ピアス。
【請求項８】
ピアスポストの一端に、宝石を固定するための石枠を有することを特徴とする請求項１〜６のいずれかに記載の装身具用ピアス。
【請求項９】
前記樹脂製キャッチを着色したことを特徴とする請求項１〜７のいずれかに記載の装身具用ピアス。
【発明の詳細な説明】
【技術分野】
【０００１】
本発明は、ピアス用キャッチ及びピアスポストを改良した装身具用ピアスに関するものである。以後はピアス用キャッチを単にキャッチと記す。なお、装身具用ピアスと記した場合は、キャッチとピアスポストを含めた総称を示す。
【背景技術】
【０００２】
従来のキャッチを図９に示す。このキャッチ３００は無色である。多くの場合にキャッチ３００はシリコンゴム製（以下、単にシリコンと記す。）で、中心部に挿通孔３０３が形成され、バネ３０２で抜けにくくなる工夫がされている。３０１はシリコンである。
【０００３】
従来のピアスポストを図１０に示す。従来のピアスポスト４００は、例えば直径が０．８ｍｍφ程度で、一部に図９に示したバネ３０２との嵌め会いを期待する窪み４０１を有している。
【先行技術文献】
【特許文献】
【０００４】
【特許文献１】特開２００１−１７２１２公報
【発明の概要】
【発明が解決しようとする課題】
【０００５】
従来のキャッチは、キャッチに備えたバネで抜けにくくなる工夫がされてはいるが、この形式のバネの拘束力は弱く、シリコンが劣化したり、ネイルアートで使用する除光液が付着すると、直ぐにピアスポストからキャッチが抜けてしまい、キャッチを紛失したり、高価な宝石を無くすことが多かった。
【０００６】
また、従来のピアスポストは、一部に図９に示したようにバネとの嵌め会いを期待する窪みを有してはいるが、全体的に太さが同一であり、ほとんどストレートに形成されていたため、キャッチがピアスポストから抜けやすかった。
なお、従来技術のキャッチは、無色のままであり趣向に乏しかった。
【課題を解決するための手段】
【０００７】
本発明は、上記のような課題を解決するためになされたもので、キャッチに挿入されるピアスポストをストレートとすることなく、ピアスポストの頭部に、拡径頭部、扁平化頭部、または、拡径扁平化頭部を設け、さらに挿入時にキャッチ内に収まる部分にも拡径部、扁平化部、または、拡径扁平化部、あるいは縮径部を設けている。キャッチについては、外周に金属バネを嵌着し、さらにキャッチの挿入穴の形状に注目して切れ目を入れ、さらに油溜めを有する形状とした。さらにキャッチを着色して趣向のあるものとしたことを特徴とするものである。
【０００８】
本発明は、ピアスポストと、該ピアスポストを挿入するための挿通孔を有し、外周に金属バネを嵌着させた樹脂製キャッチとから成る装身具用ピアスである。
【０００９】
また、本発明は、キャッチに挿通される頭部に拡径頭部、扁平化頭部、または、拡径扁平化頭部を有するピアスポストと、該ピアスポストを挿入するための挿通孔を有する樹脂製キャッチとから成る装身具用ピアスである。
【００１０】
また、本発明は、キャッチに挿通される頭部に拡径頭部、扁平化頭部、または、拡径扁平化頭部を有し、さらに、樹脂製キャッチに挿入時にピアスポストの挿入穴内に位置する部分にも、拡径部、扁平化部、または、拡径扁平化部を有するピアスポストと、該ピアスポストを挿入するための挿通孔を有する樹脂製キャッチとから成る装身具用ピアスである。
【００１１】
また、本発明は、キャッチに挿通される頭部に拡径頭部、扁平化頭部、または、拡径扁平化頭部を有し、さらに、ピアスポストの樹脂製キャッチへの挿入時に挿入穴内に位置する部分にも、拡径部、扁平化部、または、拡径扁平化部を有するピアスポストと、該ピアスポストを挿入するための挿通孔を有する樹脂製キャッチとから成る装身具用ピアスである。
【００１２】
また、本発明は、キャッチに挿通される頭部に拡径頭部、扁平化頭部、または、拡径扁平化頭部を形成し、さらに、ピアスポストの樹脂製キャッチへの挿入時にピアスポストの挿入穴内に位置する部分に、縮径部を形成させたピアスポストと、該ピアスポストを挿入するための挿通孔を有する樹脂製キャッチとから成る装身具用ピアスである。
【００１３】
また、本発明は、外周に金属バネを嵌着させた樹脂製キャッチにおいて、挿入穴より外に向かって複数の切れ目を有し、その先端部に油溜めを有する樹脂製キャッチとから成る装身具用ピアスである。
【００１４】
また、本発明は、外周に金属バネを嵌着させた樹脂製キャッチにおいて、挿入穴の表面に凸部、または、窪みを設けた装身具用ピアスである。
【００１５】
また、本発明は、ピアスポストの一端に、宝石を固定するための石枠を有する装身具用ピアスである。
【００１６】
また、本発明は、樹脂製キャッチを着色した装身具用ピアスである。
【発明の効果】
【００１７】
本発明は、上記のように構成したので、以下のような効果を奏する。
・  本発明におけるピアスポストには、拡径頭部、扁平化頭部、または、拡径扁平化頭部を、また、必要に応じて挿入時にキャッチ内に収まる部分にも拡径部、扁平化部、または、拡径扁平化部、あるいは縮径部を設けている。そのため、キャッチから抜けにくくすることもできる。
・  当該キャッチの外周に金属バネが嵌着させたので、一層抜けにくくした。
・  樹脂部の内部に切れ目を入れることのより、さらに抜けにくくした。この切れ目は、１個、または2個以上とする。扁平化頭部、または、拡径扁平化頭部の場合は、奇数個数であることが好ましい。製造の容易性と効果を考慮すると、3個、または5個が好ましく、3個が最適である。ピアスポストを扁平化ではなく、拡径頭にしている場合は偶数個、例えば2個、または4個が最適である。
・  さらに切れ目の先端部に油溜めを設ける
・  キャッチの樹脂部分は、無色、あるいは、様々な着色を施す。着色を施すことによりきわめて趣向に富んだ装身具となる。
・  樹脂は、シリコン、ゴム、アクリル系等を用いるが、シリコンが最適である。
・  金属バネにはさまざまな金属、合金性を用いることができる。チタン、またはチタン合金、を用いることにより、優れたバネ特性と、熱処理によるさまざまな着色性を与えることができる。ステンレス鋼の場合も熱処理によるさまざまな着色性を与えることができる。
【図面の簡単な説明】
【００１８】
【図１】本発明の装身具用ピアスの一実施例を示す。
【図２】本発明のピアスポストの一実施例を示す。
【図３】本発明のピアスポストの他の実施例を示す。
【図４】本発明のピアスポストの他の実施例を示す。
【図５】本発明のキャッチの一実施例を示す。
【図６】本発明のキャッチの他の実施例を示す。
【図７】本発明の装身具用ピアスの他の実施例を示す。
【図８】本発明のキャッチのバネを示す。
【図９】従来のキャッチを示す。
【図１０】従来のピアスポストを示す。
【図１１】本発明の装身具用ピアスの他の実施例を示す。
【実施例】
【００１９】
以下、本発明の実施例を、図を参照して詳細に説明する。
図1は、本発明の装身具用ピアスの構成を示す組立図である。（A）は、キャッチ２００及とピアス１００を組み合わせて装身具用ピアスを構成した状態の正面図、（B）は、上記（A）の左側面図である。この装身具用ピアスは、宝石４とピアスポスト１と、このピアスポスト１に挿通されるキャッチ２００のシリコン２と、このキャッチ２００の外周に嵌着される金属バネ３とから成る。
【００２０】
上記ピアスポスト１の一端には石枠４１が形成され、この石枠の爪部により宝石４が固定される構造となっている。
【００２１】
一方、上記ピアスポスト１の他端には押し潰した扁平化拡径頭部１１を形成している。この図においては、端部の径を拡大、扁平化させているが、単に拡大、または扁平化させるだけでもよい。ピアスポスト１の径は０．６５〜０．８ｍｍ程度である。また、拡大した場合の径は、その１０〜２０％増し程度である。拡大扁平化した場合の最大径も同程度である。
【００２２】
この図に示したピアスポスト１においては、さらに、挿入時にキャッチの中央部に位置する部分を扁平拡径させ、中間扁平拡径部１２を形成させている。この部分の拡大の大きさは、扁平化拡径頭部１１と同程度である。
扁平化拡径頭部１１を、単なる拡径頭部に、また、中間扁平拡径部を、単なる中間拡径部とすることも有効である。
本発明における扁平化、拡径化方法は特に限定する必要はないが、通常の金属の加工に用いる方法（例えば冷間での鍛造）が実用的に優れている。
【００２３】
上記キャッチ２００の外周には溝が形成され、この溝に金属バネ３が嵌着される構成となっている。また、樹脂部分には挿通孔２０が形成されており、この挿通孔に本発明になるピアスポスト１が挿通されるようになっている。挿通孔２０の穴径は、ピアスポスト１の外径よりやや小さく、０．５５〜０．７ｍｍ程度である。
【００２４】
この挿通孔２０には、切れ目２１を入れることにより、さらに抜けにくくすることができる。切れ目の寸法は、幅、０．００２〜０．００５mm、深さは０．２〜０．３ｍｍ、長さは５〜８ｍｍ程度である。
【００２５】
さらに、この切れ目２１の先端部の油ダメ２２を形成させている。この油ダメ２２は、除光液を保持する作用があり、さらに抜けにくくすることに有効である。また、繰り返し使用により、切れ目２１が外方に進展することを防ぐ作用を持っている。油ダメ２２の直径は０．００５〜０．０１mmである。
なお、図に示すように、挿通孔２０、切れ目２１、油ダメ２２のシリコン２の外表面に現れる部分には、面取りを行っている。
【００２６】
切れ目２１、油ダメ２２は、は樹脂を成型後に入れることも可能であるが、成型時に作り込むことも可能である。後者の場合は製造工程を省略できる。
シリコンゴムを用いて一部が融着しないようにして、製造する場合はゲル状のシリコンゴムを型に入れて成型するが、金型の中央ポスト（キャッチに穴を形成させるための）に方形のヒレを付けたものを用いる。
【００２７】
ヒレの寸法は厚さ、０．００２〜０．００５mm、高さ（幅）は０．２〜０．３ｍｍ、長さは５〜８ｍｍ程度である。５〜８ｍｍの辺で中央ポストと一体化している。成型温度は約３００℃である。油ダメ２２を形成する場合は、ヒレの端部を円形にする。円形の部分の直径は０．００５〜０．０１mmである。
【００２８】
図２は、本発明のピアスポストを示す。（A）は正面図、（B）は右側面図、（C）は左側面図である。この図に示したピアスポストにおいては、頭部、中間部ともに、扁平拡径している。
【００２９】
図３も、本発明のピアスポストを示す。（A）は正面図、（B）は右側面図、（C）は左側面図である。この図に示したピアスポストにおいては、頭部は扁平拡径、中間部は縮径している。
【００３０】
図４も、本発明のポストを示す。（A）は正面図、（B）は右側面図、（C）は左側面図である。この図に示したピアスポストにおいては、頭部は扁平拡径、中間部は拡径している。
【００３１】
図５は、本発明のシリコン２を示す。（A）は正面図、（B）は左側面図である。この図に示したシリコンにおいては、中間拡径部の中間部に窪みを設けている。（穴径が拡大されている。）この部分に、先の図４に示したピアスポスト１の拡径部１４が収まる。
【００３２】
図６は、本発明もシリコン２を示す。（A）は正面図、（B）は左側面図である。この図に示したシリコンにおいては、挿通孔２０の中間部に凸部を設けている。（穴径が縮小されている。）この部分は、先の図３に示したピアスポスト１の凹部１３と嵌め合うことになる。
【００３３】
図７は、図３のピアスポストと、図６のシリコンとの組み合わせた場合の図である。
【００３４】
以上のようにして製造した樹脂部分に金属バネを装着する。図８は、本発明に用いるバネを示している。（A）は横置した場合の正面図、（B）は上から見た図である。
【００３５】
この金属バネ３には間欠部が形成されており、縮径させて装着する。金属バネの直径は、０．６〜１．２φ、０．８φ程度が最適である。なお、金属バネは方形等のさまざまな断面形状のものも、使用加工である。チタン、またはチタン合金を用いることにより、優れたバネ特性と、熱処理によるさまざまな着色性を与えることができる。ステンレス鋼の場合も熱処理によるさまざまな着色性を与えることができる。
【００３６】
図９は、従来のキャッチ３００を示している。（A）は正面図、（B）は左側面図である。シリコン３０１の内部に挿通孔３０３、バネ３０２を備えている。
【００３７】
図１０は、従来のピアスポスト４００を示している。（A）は正面図、（B）は右側面図である。このピアスポスト４００は、縮径部４０１を備えているが、この縮径部４０１に、図９に示したバネ３０２の凸部が位置することになる。
【００３８】
図１１は、本発明において、ピアスポストの中間拡径部１４とキャッチのシリコンの挿通孔の凸部２４の組み合わせを示したものである。凸と凸がぶつかるため、より抜けにくくなっている。
【００３９】
上記のように構成の装身具用ピアスにおいて、被装着者は宝石４を備えたピアスポスト１を耳たぶの穴に挿通し、次いで、上記キャッチ２００の中心部の挿通孔２０に、シリコン２及び金属バネ３の弾性に抗してピアスポスト１の拡大頭部１１を押し込む。
これによりピアスポスト１がキャッチ２００から容易に抜け落ちにくくなり、高価な装身具の紛失等を防ぐことができる。
【符号の説明】
【００４０】
１００  ピアス
１    ピアスポスト
１１  ピアスポストの頭部扁平拡径部
１２  ピアスポストの中間扁平拡径部
１３  ピアスポストの中間縮径部
１４  ピアスポストの中間拡径部
２００  キャッチ
２    キャッチのシリコン
２０  キャッチのシリコンの挿通孔
２１  キャッチのシリコンの挿通孔の切れ目
２２  キャッチのシリコンの挿通孔の油ダメ
２３  キャッチのシリコンの挿通孔の窪み
２４  キャッチのシリコンの挿通孔の凸部
３    バネ
３００  従来のキャッチ
３０１  従来のキャッチのシリコン
３０２  従来のキャッチのバネ
３０３  従来のキャッチの挿通孔
４      宝石
４１    石枠
４００  従来のピアスポスト
４０１  従来のピアスポストの縮径部
【図１】
2011115189.tif 000003
【図２】
2011115189.tif 000004
【図３】
2011115189.tif 000005
【図４】
2011115189.tif 000006
【図５】
2011115189.tif 000007
【図６】
2011115189.tif 000008
【図７】
2011115189.tif 000009
【図８】
2011115189.tif 000010
【図９】
2011115189.tif 000011
【図１０】
2011115189.tif 000012
【図１１】
2011115189.tif 000013